(57)【要約】      （修正有）【課題】空気注入弁とエアパッドが結合してクッションエアパッドを形成するとともに、空気注入弁を押すことによりエアパッドに空気を注入する、簡易空気注入弁の構造を提供する。【解決手段】空気注入弁の構造は、通孔を設けた台座と、前記通孔の底面に設けられたポリウレタン（ＰＵ）フィルムと、前記台座の上方に設けられた圧迫体とからなる。前記ポリウレタン（ＰＵ）フィルムは、前記通孔に対応した外周部分に少なくとも一つの空洞が設けられる。前記圧迫体は、圧力を受けた後に回復する弾力性を備えるとともに、内部に空気室が設けられる。前記空気室は、上部に少なくとも一つの穿孔が設けられ、底部の周縁に密封縁が設けられる。前記ポリウレタン（ＰＵ）フィルム及び前記圧迫体は、高周波、又は、プレス加工やその他の加工技術により、それぞれ前記台座と結合される。【選択図】図１
0003183882.tif 000002
【実用新案登録請求の範囲】
【請求項１】
台座と、ポリウレタン（ＰＵ）フィルムと、圧迫体とからなる簡易空気注入弁の構造であって、
前記台座は、皿状体を呈すとともに、上部中央部分に、内側に通孔を備えたチューブソケットが設けられ、
前記ポリウレタン（ＰＵ）フィルムは、前記通孔の底部に設けられるとともに、前記台座の前記通孔に対応した外周部分に少なくとも一つの空洞が設けられ、
前記ポリウレタン（ＰＵ）フィルムの外周縁と、前記台座は、高周波、あるいは、プレス加工、あるいは、その他の加工技術によって結合され、
前記圧迫体は、前記台座の上方に設けられるとともに、圧力を受けた後に回復する弾力性を備え、その内部に空気室が設けられ、
前記空気室は、上部に少なくとも一つの穿孔が設けられ、底部の周縁に密封縁が設けられ、
前記圧迫体と、前記台座は、高周波、あるいは、プレス加工、あるいは、その他の加工技術によって結合されることを特徴とする簡易空気注入弁の構造。
【請求項２】
前記台座の前記通孔は、底縁に、円弧状を呈した面取り部分が設けられることを特徴とする請求項１に記載の簡易空気注入弁の構造。
【請求項３】
前記台座の前記チューブソケットの上部には、凹凸状を呈した波状面が設けられることを特徴とする請求項１に記載の簡易空気注入弁の構造。
【請求項４】
前記台座は、上部の外周に、リングが設けられることを特徴とする請求項１に記載の簡易空気注入弁の構造。
【請求項５】
前記台座は、前記ポリウレタン（ＰＵ）フィルムの外側の周縁に複数の突起リブが設けられることを特徴とする請求項１に記載の簡易空気注入弁の構造。
【請求項６】
前記圧迫体の空気室上部の穿孔には、更に一方通行弁が設けられることを特徴とする請求項１に記載の簡易空気注入弁の構造。
【考案の詳細な説明】
【技術分野】
【０００１】
本考案は、空気注入弁の構造に関し、特に、球技用シューズ・運動靴・スニーカー、ヘルメット、あるいはこれらに類似した膨張緩衝クッション部材の製品構造に取り付けられる、緩衝性の保護効果を備えたクッションエアパッドにおける空気注入弁の構造に関する。
【背景技術】
【０００２】
靴の設計は、外観が第一に要求されるほか、機能性も重視すべき条件である。例えば、靴にエアクッションを設けることによって振動緩衝作用を提供し、使用者が歩いたり、運動したり、走ったり、飛び跳ねたりする過程において、クッションが足をしっかりと保護することができる。また、ヘルメット内部の着装体も、クッションとしての緩衝性が求められる。
【０００３】
従来における、空気注入が可能なエアパッドを備えた靴の設計として、米国特許第６，１８９，１７２号明細書に、ポンプと、空気逃がし弁とが組み合わされてなる部材が開示されている。前記ポンプには、入口と、出口とが設けられ、前記出口によって流体がエアパッドの中へ排出される。前記空気逃がし弁には、注入口と、排気口が設けられ、前記注入口によって流体が前記エアパッドと相互に流動する。前記空気逃がし弁には、更に、非柔軟性素材からなる弁体が設けられる。前記弁体は、内孔と、フランジと、ピストンと、リングとからなる。前記内孔は、前記弁体の入口から出口へ延伸して設けられる。前記フランジは、上端が内側に延伸した形状を呈するとともに、底部表面と、上部表面と、前記底部表面から前記上部表面へ貫いて設けられた内孔とからなる。また、前記フランジの底部表面は、空気弁の台座として用いられる。前記ピストンは、前記弁体の内孔に貫設されるとともに、前記フランジの内孔を通ることができる小径の上段部と、前記フランジの内孔を通ることができないより大径の下段部とからなる。前記ピストンの下段部には、更に、上部表面及び底部表面が、前記フランジの底部表面と並列して設けられる。前記リングは、柔軟性素材からなるとともに、前記ピストンの下段部と前記フランジの間に設けられる。
【先行技術文献】
【特許文献】
【０００４】
【特許文献１】米国特許第６，１８９，１７２号明細書
【考案の概要】
【考案が解決しようとする課題】
【０００５】
しかしながら、前述の空気注入が可能なエアパッドにおける前記ポンプと前記空気逃がし弁とエアパッドは、導管によってつながれているため、靴を履いた後に使用者が手でポンプを押して靴内部のエアパッドに空気注入して膨張させなければならず、加えて、靴の外側にポンプと空気逃がし弁が露出しているため外観上簡潔でない。よって、本考案者は、運動靴内部に取り付けられて一般的な靴と同様の方法で履くことができること、使用者が靴を履いた後に自然歩行の動作を利用することによってエアパッドへの空気注入ができること、靴内部の空間が振動を防止して柔らかく足底と接触することで足と靴の相性が高まるとともに急な運動時に心地よく馴染むこと、といった効果を消費者に提供することが、本考案の研究動機である。
【０００６】
そこで、本考案は、靴内部にクッションとして設けられたエアパッドに空気注入をすることによって、足に対する理想的な緩衝性の保護効果を得ることができる、簡易空気注入弁の構造を提供することを目的とする。
【０００７】
また、本考案は、簡単な部材からなることで製造コストを削減することができるとともに、市場における製品の販売競争力を高めることができる、簡易空気注入弁の構造を提供することを目的とする。
【課題を解決するための手段】
【０００８】
上述の目的を達成するため、本考案の簡易空気注入弁の構造は、台座と、ポリウレタン（ＰＵ）フィルムと、圧迫体とからなる。前記台座は、上部中央部分にチューブソケットが設けられる。前記チューブソケットは、内部に通孔が設けられる。前記ポリウレタン（ＰＵ）フィルムは、前記台座の前記通孔に対応した外周部分に少なくとも一つの空洞が設けられるとともに、高周波、あるいは、プレス加工によって、外周縁が前記通孔の底面部に圧接されることによって、一方通行空気弁の形態を形成する。また、前記圧迫体は、内部に空気室が設けられる。前記空気室は、上部に少なくとも一つの穿孔が設けられ、底部の周縁に密封縁が設けられるとともに、高周波、あるいは、プレス加工によって、前記台座の上方と圧接されることによって、空気室を備えた空気注入弁の構造を形成する。使用時には、前記空気注入弁をエアパッドの一側面と結合させてクッションエアパッドを形成することにより、前記エアパッドを靴内部に組み込んで製造することができる。
【考案の効果】
【０００９】
以上の構造により、歩行時に足を踏み下ろす動作を利用して、前記空気注入弁を直接圧迫してエアパッドに空気を充填することによって、足を心地よくしっかりと覆い包むとともに、安全に保護する効果を兼ね備えることができる。
【図面の簡単な説明】
【００１０】
【図１】本考案の空気注入弁の構造の分解図である。
【図２】本考案の空気注入弁の組み立て後の外観を示した斜視図である。
【図３】本考案の空気注入弁とエアパッドとが結合したクッションエアパッドの概略図である。
【図４】本考案の空気注入弁の吸気状態の概略図である。
【図４Ａ】本考案の空気注入弁の空気注入状態における局部構造の拡大概略図である。
【図５】本考案の空気注入弁の逆止状態の概略図である。
【図５Ａ】本考案の空気注入弁の逆止状態における局部構造の拡大概略図である。
【考案を実施するための形態】
【００１１】
図１、図２を参照する。本考案の簡易式空気注入弁１は、台座１０と、ポリウレタン（ＰＵ）フィルム２０と、圧迫体３０とからなる。台座１０は、熱可塑性ポリウレタン（ＴＰＵ）硬材であることが望ましく、大よそ皿状体を成すとともに、上部中央部分にチューブソケット１１が設けられる。チューブソケット１１は、上部に凹凸状を呈した波状面１２が設けられ、内部に通孔１３が設けられる。実施時は、以下の構造が望ましい。通孔１３は、底縁に円弧状を呈した面取り部分１４が設けられ、外側の周縁に複数の突起リブ１５が設けられる。また、台座１０は、上部に設けられたチューブソケット１１の外周に、更にリング１６が設けられる。
【００１２】
前記ポリウレタン（ＰＵ）フィルム２０は、台座１０の通孔１３の底部に設けられるとともに、通孔１３の外径よりも大きい位置に少なくとも一つの空洞２１が設けられる。図１の実施例では、複数の空洞２１が環設される。ポリウレタン（ＰＵ）フィルム２０の外周縁は、高周波、あるいは、プレス加工によって、台座１０と圧接されることによって、空洞２１が通孔１３の外周部分に対応して、一方通行弁の形態を形成する。
【００１３】
圧迫体３０は、台座１０の上方に設けられるとともに、弾力性のある材料からなり、その内部に空気室３１が設けられる。空気室３１は、上部に穿孔３２が設けられ、底部の外側の周縁に密封縁３３が設けられるとともに、高周波、あるいは、プレス加工によって、密封縁３３が台座１０と圧接されることによって、空気室を備えた空気注入弁１の構造を形成する。なお、その他の実行可能な実施例において、圧迫体３０の空気室３１上部の穿孔３２に、更に一方通行弁が設けられる（図示せず）。また、前述した高周波、あるいは、プレス加工といった部材結合の方法は、接着剤による貼合で代替することもできる。
【００１４】
図３〜図５を参照する。図に示した実施例において、簡易式空気注入弁１は、エアパッド４０の一側面と結合することによって、クッションエアパッド２を形成する（図３を参照）。空気注入弁１の圧迫体３０に対して圧力を加えた時、圧迫体３０の空気室３１内部の空気が押されて台座１０の通孔１３に向かって排出される。通孔１３の底部に設けられたポリウレタン（ＰＵ）フィルム２０が気体の排出圧力によって押されることにより、いくらかの隙間を生じる。この時、空気は、ポリウレタン（ＰＵ）フィルム２０の空洞２１を通ってエアパッド４０の内部に入り込む（図４、図４Ａを参照）。圧迫体３０に対する圧力が解除された時、圧迫体３０に弾力性の回復力が生じ、空気が上部の穿孔３２から空気室３１の内部に入り込んで充填される。この時、通孔１３の底部に設けられたポリウレタン（ＰＵ）フィルム２０は、空気室３１の負圧作用とエアパッド４０内部の気体の圧力を同時に受けて上に向かい、通孔１３に付着する。加えて、ポリウレタン（ＰＵ）フィルム２０は、多少の延展性を備えた素材からなるため、通孔１３において凹弧面を形成するとともに（図５、図５Ａを参照）、通孔１３の周縁と完全に貼合する。以上の構造によって、気体の逆止効果を達成するとともに、一方通行弁の形態を形成する。また、前述した圧迫作用の反復によって、エアパッド４０への空気充填が行われる。
【００１５】
以上の構造からなるクッションエアパッド２を靴内部に組み込んで製造した時、使用者は、歩行時に足を踏み下ろす動作を利用して空気注入弁１を連続して押すことによって、エアパッド４０内に空気を充填して膨張させ、足を心地よく覆い包むとともに、良好な保護効果を得ることができる。
【符号の説明】
【００１６】
１            空気注入弁
２            クッションエアパッド
１０   台座
１１   チューブソケット
１２   波状面
１３   通孔
１４   面取り部分
１５   突起リブ
１６   リング
２０   ポリウレタン（ＰＵ）フィルム
２１   空洞
３０   圧迫体
３１   空気室
３２   穿孔
３３   密封縁
４０   エアパッド
【図１】
0003183882.tif 000003
【図２】
0003183882.tif 000004
【図３】
0003183882.tif 000005
【図４】
0003183882.tif 000006
【図４Ａ】
0003183882.tif 000007
【図５】
0003183882.tif 000008
【図５Ａ】
0003183882.tif 000009